(57)【要約】  シューズ（１）において、アッパー本体（１１）は、伸縮性を有する素材からなる伸縮部（１５）を含む。伸縮部（１５）は、アッパー本体（１１）において、着用者の足の内踝（ＭＭ）および外踝（ＬＭ）の各々の中心（Ａ）に対応する位置を含みかつ足挿入部（１２）の位置を含む領域に配置されている。伸縮部（１５）は、非伸長状態から伸長状態に変形しかつ伸長状態から非伸長状態に弾性的に復元するように構成されている。
2020067476.tif 000002
【特許請求の範囲】
【請求項１】
ソールおよびアッパーを備えたシューズであって、
前記アッパーは、アッパー本体を有しており、
前記アッパー本体は、
前記シューズに着用者の足を挿入させるための足挿入部と、
伸縮性を有する素材からなる伸縮部と、を有し、
前記足挿入部は、側面視において、着用者の足の踵骨上部と、腓骨および頸骨における内踝および外踝の各々の上部とを結んだ仮想線に対応する位置よりも上方に配置されており、
前記伸縮部は、前記アッパー本体において、着用者の足の内踝および外踝の各々の中心に対応する位置を含みかつ前記足挿入部の位置を含む領域に配置されており、
前記伸縮部は、非伸長状態から伸長状態に変形しかつ該伸長状態から該非伸長状態に弾性的に復元するように構成されている、シューズ。
【請求項２】
請求項１に記載のシューズにおいて、
前記足挿入部は、側面視において前記仮想線に対応する位置の上側近傍に配置されている、シューズ。
【請求項３】
請求項２に記載のシューズにおいて、
前記伸縮部は、着用者の足の内踝に対応する位置から、足の踵部後側に対応する位置を経由して足の外踝に対応する位置まで連続している、シューズ。
【請求項４】
請求項１〜３のいずれか１項に記載のシューズにおいて、
前記アッパーは、前記伸縮部の外表面および内表面の少なくともいずれか一方に設けられた補強部をさらに有している、シューズ。
【請求項５】
請求項１に記載のシューズにおいて、
前記アッパーは、着用者の足の内踝および外踝よりも上方に位置する足首部分を含む位置に対応して配置されたアンカー部をさらに有し、
前記アッパー本体は、着用者の足の爪先部分から前記足首部分に亘る範囲を覆うように構成されており、
前記アッパー本体は、
着用者の足の前記足首部分の位置に対応する第１位置と、
着用者の足の距腿関節の位置に対応する第２位置と、
着用者の足の横足根関節の位置に対応する第３位置と、を含み、
前記アンカー部は、前記アッパー本体の前記第１位置が着用者の前記足首部分に対して位置決めされるように構成されており、
前記伸縮部は、前記アッパー本体において、着用者の足の踵骨および距骨に対応する領域を含みかつ前記第１位置から前記第２位置を経て前記第３位置に亘る足関節対応領域を含む位置に配置されており、
前記アンカー部により前記アッパー本体の前記第１位置が着用者の前記足首部分に位置決めされた状態において、前記伸縮部は、非伸長状態から伸長状態に変形しかつ該伸長状態から該非伸長状態に弾性的に復元するように構成されている、シューズ。
【請求項６】
請求項５に記載のシューズにおいて、
前記アッパーは、前記伸縮部の外表面および内表面の少なくともいずれか一方に設けられているとともに、伸縮性を有する材料からなる第１補強部をさらに有しており、
前記第１補強部は、前記アッパー本体において、前記第１位置よりも下方に位置しかつ着用者の足の内踝および外踝よりも後方の領域に対応して配置されている、シューズ。
【請求項７】
請求項５または６に記載のシューズにおいて、
前記アッパーは、前記伸縮部の外表面および内表面の少なくともいずれか一方に設けられているとともに、伸縮性を有する材料からなる第２補強部をさらに有しており、
前記第２補強部は、前記アッパー本体の内甲側において、前記第１位置よりも下方に位置しかつ着用者の足の内踝および踵骨から横足根関節に亘る範囲を含む位置に対応して配置されている、シューズ。
【請求項８】
請求項５〜７のいずれか１項に記載のシューズにおいて、
前記アッパーは、前記伸縮部の外表面および内表面の少なくともいずれか一方に設けられているとともに、伸縮性を有する材料からなる第３補強部をさらに有しており、
前記第３補強部は、前記アッパー本体の外甲側において、前記第１位置よりも下方に位置しかつ着用者の足の外踝および踵骨から横足根関節に亘る範囲を含む位置に対応して配置されている、シューズ。
【請求項９】
請求項５〜８のいずれか１項に記載のシューズにおいて、
前記伸縮部は、前記第１位置に対応する部分の周囲長が着用者の前記足首部分の周囲長よりも小さい略筒状に形成されており、
前記伸縮部は、前記第１位置に対応する部分が着用者の前記足首部分と密着したときに前記非伸長状態から周方向に拡張するように構成されている、シューズ。
【請求項１０】
請求項９に記載のシューズにおいて、
前記アッパー本体は、
前記第１位置に設けられ、前記第２位置から前記第１位置に向かって上方に開口する足挿入部と、
前記足挿入部と連続しかつ前記アッパー本体の一部が前記第１位置から下方に向かって線状に切り込まれた開口部と、
前記開口部を閉鎖または開放するための開閉部と、を含む、シューズ。
【請求項１１】
請求項１０に記載のシューズにおいて、
前記開閉部は、前記アッパー本体において着用者の足の内甲側に対応する位置に配置された線ファスナにより構成されており、
前記線ファスナは、前記アッパー本体において、長手方向が着用者の足の内側縦アーチに対応する位置から内踝に対応する位置よりも前方の位置を通って前記第１位置に向かうように延びている、シューズ。
【請求項１２】
請求項１０または１１に記載のシューズにおいて、
着用者の踵骨に対応する位置における前記ソールの接地面を水平な基準面としたときに、前記伸縮部は、前記第２位置から前記第１位置に延びる部分が、前記基準面に対する鉛直上下方向に対し後方に傾いた方向に沿うように構成されている、シューズ。
【請求項１３】
請求項１〜１２のいずれか１項に記載のシューズにおいて、
前記伸縮部は、着用者の足が後傾状態から直立状態に移行するに伴い、非伸長状態から伸長状態に変形するように構成されている、シューズ。
【請求項１４】
請求項５〜１３のいずれか１項に記載のシューズにおいて、
前記伸縮部の内表面には、着用者の足の踵部周りを側方および後方から覆うように形成された踵拡張部が設けられており、
前記踵拡張部は、足長方向に沿って切断したときの断面視において、着用者の足の踵部後側に対応する位置から後方に向かって突出している、シューズ。
【発明の詳細な説明】
【技術分野】
【０００１】
本発明は、シューズに関するものである。
【背景技術】
【０００２】
従来、シューズを着用した者（以下「着用者」という）の歩行および走行などの各動作を補助するためのシューズとして、例えば特許文献１のようなシューズが提案されている。【０００３】
この特許文献１には、ソールと、足挿入部を有するアッパー本体と、足挿入部の近傍においてアッパー本体の外表面に設けられた弾性材からなる上層部材と、を備えたシューズが開示されている。上層部材は、アッパー本体の後部に配置された弾性領域と、アッパー本体において弾性部よりも前方の位置に配置された回転領域と、を有している。弾性領域および回転領域の各々は、アッパー本体において着用者の足の足首部分に対応して配置されている。弾性領域は、着用者の足のアキレス腱が延びる方向（上下方向）に沿って延びている。回転領域は、着用者の足の距腿関節の位置に対応して配置されている。
【先行技術文献】
【特許文献】
【０００４】
【特許文献１】米国特許出願公開第２０１０／０３１９２１５号明細書
【発明の概要】
【発明が解決しようとする課題】
【０００５】
ところで、一般的に、日常的な歩行動作およびスポーツ時の走行動作では、まず始めに着用者の足の距腿関節を中心とする足関節（以下、単に「足関節」という）により、足の甲部と脛部が互いに接近しかつアキレス腱と腓腹筋とが互いに反対方向に引き伸ばされるような動作（いわゆる背屈）が行われる。その後、足関節により着用者の足の足首部分を足裏の方向に向かって回転させることにより、足の甲部と脛部が互いに離間しかつアキレス腱と腓腹筋とが互いに接近するような動作（いわゆる底屈）が行われる。そして、底屈は、特に走行による移動速度を十分に得るために重要な動作となる。【０００６】
これに対し、特許文献１のシューズにおいて、弾性領域は、回転領域を足幅方向に延びる仮想的な軸心として該軸心回りに上下方向に回動しかつ上下方向に伸長および収縮するように構成されている。かかる構成により、弾性領域は、例えば歩行時または走行時において背屈に応じて上下方向に伸長する。弾性領域には、該伸長によりひずみエネルギーが蓄積される。背屈の後に底屈が行われると、弾性領域に蓄積された上記ひずみエネルギーが解放される。そして、弾性領域は、非伸長状態に復元するように収縮する。このように、特許文献１のシューズでは、特に底屈を補助するための機能を有している。このため、歩行動作および走行動作が容易になるとともに、走行時において移動速度を十分に得ることが可能となる。【０００７】
しかしながら、特許文献１のシューズでは、弾性領域および回転領域が着用者の足に対して適切に位置決めされるように構成されていない。このため、弾性領域および回転領域の各位置が、着用者の足関節を中心とする各部位の位置からずれてしまう場合があった。特に、回転領域の位置が着用者の足関節の位置に適合しない場合には、弾性領域を適切な位置で伸長および収縮させることが困難となる。その結果、特許文献１のシューズでは、背屈および底屈を適切に補助することができないおそれがあった。【０００８】
また、一般的に、人体の足は、足関節により背屈および底屈以外の動作（すなわち、外転、内転、内反、外反、内がえし、外がえし等）も行うことが可能である。しかしながら、特許文献１のシューズでは、背屈および底屈を補助するための構成を有している反面、上述のような背屈および底屈以外の動作に対して適切に補助するための構成を有していなかった。すなわち、特許文献１のシューズでは、背屈および底屈以外の動作を適切に補助することができなかった。【０００９】
本発明は斯かる点に鑑みてなされたものであり、その主な目的は、着用者の足関節による様々な動作を適切に補助することにある。
【課題を解決するための手段】
【００１０】
上記の目的を達成するために、本発明の第１の形態はソールおよびアッパーを備えたシューズに係るものであり、アッパーは、アッパー本体を有している。アッパー本体は、シューズに着用者の足を挿入させるための足挿入部と、伸縮性を有する素材からなる伸縮部と、を有している。足挿入部は、側面視において、着用者の足の踵骨上部と、腓骨および頸骨における内踝および外踝の各々の上部とを結んだ仮想線に対応する位置よりも上方に配置されている。伸縮部は、アッパー本体において、着用者の足の内踝および外踝の各々の中心に対応する位置を含みかつ足挿入部の位置を含む領域に配置されている。そして、伸縮部は、非伸長状態から伸長状態に変形しかつ該伸長状態から該非伸長状態に弾性的に復元するように構成されていることを特徴とする。【００１１】
この第１の形態のように、伸縮部は、アッパー本体において、着用者の足の内踝および外踝の各々の中心に対応する位置を含みかつ足挿入部の位置を含む領域に配置されている。すなわち、伸縮部は、着用者の足関節に対応する位置に配置されている。これにより、伸縮部は、着用者の足関節による様々な動作（すなわち、背屈、底屈、外転、内転、内反、外反、内がえし、外がえし等）に対応して伸長および収縮することが可能となる。【００１２】
そして、伸縮部は、非伸長状態から伸長状態に変形しかつ伸長状態から非伸長状態に弾性的に復元するように構成されている。具体的に、着用者の足関節が所定の方向に向かって動作した場合には、伸縮部が、該所定の方向に向かって伸長するように変形する。すなわち、伸縮部は、非伸長状態から伸長状態に変形するようになる。このとき、伸縮部には、伸長によりひずみエネルギーが蓄積される。次に、着用者の足関節が上記所定の方向に動作した後に足関節が該所定の方向と反対方向に動作すると、伸縮部に蓄積された上記ひずみエネルギーが解放される。これにより、伸縮部には、弾性的な復元力が上記反対方向に向かって生じるようになる。すなわち、伸縮部は、伸長状態から非伸長状態に弾性的に復元するように収縮する。かかる構成により、着用者の足において特に足関節よりも下側に位置する部位が元の状態に戻りやすくなる。このように、第１の形態では、着用者の足関節による様々な動作を適切に補助することが可能となる。そして、着用者の足関節の様々な動作を、特に各種目の運動競技に求められる動作に適合するようにコントロールすることができる。したがって、第１の形態では、着用者の足関節による様々な動作を適切に補助することができる。【００１３】
第２の形態は、第１の形態において、足挿入部は、側面視において仮想線に対応する位置の上側近傍に配置されていることを特徴とする。【００１４】
第２の形態では、足挿入部が、側面視において仮想線に対応する位置の上側近傍に配置されている。このように、伸縮部を最小限の領域に抑えた形態であっても、伸縮部を、アッパー本体において着用者の足の内踝および外踝の各々に対応する位置に配置することが可能となる。その結果、第２の形態では、上記第１の形態と同様に、着用者の足関節による様々な動作を適切に補助することができる。また、第２の形態では、軽量化できるとともに、履きやすさを担保することができる。【００１５】
第３の形態は、第２の形態において、伸縮部は、着用者の足の内踝に対応する位置から、足の踵部後側に対応する位置を経由して足の外踝に対応する位置まで連続していることを特徴とする。【００１６】
この第３の形態では、伸縮部が、着用者の足の内踝に対応する位置から、足の踵部後側に対応する位置を経由して足の外踝に対応する位置まで連続している。すなわち、伸縮部は、着用者の足関節に対応する位置を側方および後方から覆うように構成されている。かかる構成により、着用者の足関節による様々な動作を適切に補助することができる。【００１７】
第４の形態は、第１〜第３のいずれか１つの形態において、アッパーは、伸縮部の外表面および内表面の少なくともいずれか一方に設けられた補強部をさらに有していることを特徴とする。【００１８】
この第４の形態では、伸縮部の内表面に設けられた補強部により、伸縮部とともに、着用者の足の足関節による動作（特に背屈および底屈）を補助することができる。【００１９】
第５の形態は、第１の形態において、アッパーは、着用者の足の内踝および外踝よりも上方に位置する足首部分を含む位置に対応して配置されたアンカー部をさらに有している。アッパー本体は、着用者の足の爪先部分から足首部分に亘る範囲を覆うように構成されている。アッパー本体は、着用者の足の足首部分の位置に対応する第１位置と、着用者の足の距腿関節の位置に対応する第２位置と、着用者の足の横足根関節の位置に対応する第３位置と、を含む。アンカー部は、アッパー本体の第１位置が着用者の足首部分に対して位置決めされるように構成されている。伸縮部は、アッパー本体において、着用者の足の踵骨および距骨に対応する領域を含みかつ第１位置から第２位置を経て第３位置に亘る足関節対応領域を含む位置に配置されている。そして、アンカー部によりアッパー本体の第１位置が着用者の足首部分に位置決めされた状態において、伸縮部は、非伸長状態から伸長状態に変形しかつ伸長状態から非伸長状態に弾性的に復元するように構成されていることを特徴とする。【００２０】
この第５の形態において、伸縮部は、伸縮性を有する素材からなり、アッパー本体の足関節対応領域を含む位置に配置されている。すなわち、伸縮部は、着用者の足関節の全体を覆うように構成されている。かかる構成により、伸縮部は、着用者の足関節による様々な動作（すなわち、背屈、底屈、外転、内転、内反、外反、内がえし、外がえし等）に対応して伸長および収縮するようになる。【００２１】
また、アンカー部は、アッパー本体の第１位置が着用者の足首部分に対して位置決めされるように構成されている。かかる構成により、特にアッパー本体の足関節対応領域を含む位置に配置した伸縮部を、着用者の足関節を中心とする各部位に対して適切にフィットさせることが可能となる。すなわち、伸縮部の位置を、アンカー部により着用者の足関節を中心とする各部位の位置からずれないように安定させることが可能となる。【００２２】
そして、アンカー部によりアッパー本体の第１位置が着用者の足首部分に位置決めされた状態において、伸縮部は、非伸長状態から伸長状態に変形しかつ伸長状態から非伸長状態に弾性的に復元するように構成されている。具体的に、着用者の足関節が所定の方向に向かって動作した場合には、伸縮部が、該所定の方向に向かって伸長するように変形する。すなわち、伸縮部は、非伸長状態から伸長状態に変形するようになる。このとき、伸縮部には、伸長によりひずみエネルギーが蓄積される。次に、着用者の足関節が上記所定の方向に動作した後に足関節が該所定の方向と反対方向に動作すると、伸縮部に蓄積された上記ひずみエネルギーが解放される。これにより、伸縮部には、アンカー部の位置（第１位置）を起点として弾性的な復元力が上記反対方向に向かって生じるようになる。すなわち、伸縮部は、伸長状態から非伸長状態に弾性的に復元するように収縮する。かかる構成により、着用者の足において、特に足関節よりも下側に位置する部位が元の状態に戻りやすくなる。このように、第５の形態では、着用者の足関節による様々な動作を適切に補助することが可能となる。そして、着用者の足関節の様々な動作を、特に各種目の運動競技に求められる動作に適合するようにコントロールすることができる。【００２３】
したがって、第５の形態では、着用者の足関節による様々な動作を適切に補助することができる。【００２４】
第６の形態は、第５の形態において、アッパーは、伸縮部の外表面および内表面の少なくともいずれか一方に設けられているとともに、伸縮性を有する材料からなる第１補強部をさらに有している。そして、第１補強部は、アッパー本体において、第１位置よりも下方に位置しかつ着用者の足の内踝および外踝よりも後方の領域に対応して配置されていることを特徴とする。【００２５】
この第６の形態では、第１補強部により、特に着用者の足の内踝および外踝よりも後方に位置するアキレス腱による動作（すなわち、背屈および底屈）を補助することが可能となる。具体的に、第１補強部は、例えば歩行時または走行時において背屈に応じて上下方向に伸長する。第１補強部には、伸長によりひずみエネルギーが蓄積される。次に、背屈の後に底屈が行われると、第１補強部に蓄積された上記ひずみエネルギーが解放される。そして、第１補強部は、非伸長状態に復元するように収縮する。かかる構成によれば、特に底屈が行われるときに、着用者の足のアキレス腱が元の状態に戻りやすくなる。したがって、第６の形態では、伸縮部および第１補強部により、特に着用者の足のアキレス腱による動作を適切に補助することができる。【００２６】
第７の形態は、第５または第６の形態において、アッパーは、伸縮部の外表面および内表面の少なくともいずれか一方に設けられているとともに、伸縮性を有する材料からなる第２補強部をさらに有している。そして、第２補強部は、アッパー本体の内甲側において、第１位置よりも下方に位置しかつ着用者の足の内踝および踵骨から横足根関節に亘る範囲を含む位置に対応して配置されていることを特徴とする。【００２７】
この第７の形態では、第２補強部により、特に着用者の足関節の外反を補助することが可能となる。具体的に、第２補強部は、外反に応じて主に上下方向に反るように伸長する。第２補強部には、伸長によりひずみエネルギーが蓄積される。次に、外反が行われた後に足関節が元の状態に戻ろうとすると、第２補強部に蓄積された上記ひずみエネルギーが解放される。そして、第２補強部は、非伸長状態に復元するように収縮する。かかる構成によれば、特に外反が行われるときに、着用者の足関節が元の状態に戻りやすくなる。したがって、第７の形態では、伸縮部および第２補強部により、特に着用者の足関節の外反を適切に補助することができる。【００２８】
第８の形態は、第５〜第７のいずれか１つの形態において、アッパーは、伸縮部の外表面および内表面の少なくともいずれか一方に設けられているとともに、伸縮性を有する材料からなる第３補強部をさらに有している。そして、第３補強部は、アッパー本体の外甲側において、第１位置よりも下方に位置しかつ着用者の足の外踝および踵骨から横足根関節に亘る範囲を含む位置に対応して配置されていることを特徴とする。【００２９】
この第８の形態では、第３補強部により、特に着用者の足関節の内反を補助することが可能となる。具体的に、第３補強部は、内反に応じて主に上下方向に反るように伸長する。第３補強部には、伸長によりひずみエネルギーが蓄積される。次に、内反が行われた後に足関節が元の状態に戻ろうとすると、第３補強部に蓄積された上記ひずみエネルギーが解放される。そして、第３補強部は、非伸長状態に復元するように収縮する。かかる構成によれば、特に内反が行われるときに、着用者の足関節が元の状態に戻りやすくなる。したがって、第８の形態では、伸縮部および第３補強部により、特に着用者の足関節の内反を適切に補助することができる。【００３０】
第９の形態は、第５〜第８のいずれか１つの形態において、伸縮部は、第１位置に対応する部分の周囲長が着用者の足首部分の周囲長よりも小さい略筒状に形成されている。そして、伸縮部は、第１位置に対応する部分が着用者の足首部分と密着したときに非伸長状態から周方向に拡張するように構成されていることを特徴とする。【００３１】
この第９の形態において、伸縮部は、第１位置に対応する部分が着用者の足首部分と密着したときに非伸長状態から周方向に拡張するように構成されている。かかる構成により、伸縮部の第１位置に対応する部分が、着用者の足首部分にフィットした状態となりかつ着用者の足首部分に対応する位置に固定されるようになる。その結果、伸縮部の位置を、アンカー部による上記作用とともに、着用者の足関節を中心とする各部位の位置からずれないように安定させることができる。【００３２】
第１０の形態は、第９の形態において、アッパー本体は、第１位置に設けられ、第２位置から第１位置に向かって上方に開口する足挿入部と、足挿入部と連続しかつアッパー本体の一部が第１位置から下方に向かって線状に切り込まれた開口部と、開口部を閉鎖または開放するための開閉部と、を含むことを特徴とする。【００３３】
この第１０の形態では、上記第５の形態のように伸縮部の第１位置に対応する部分が着用者の足首部分に密着した状態であっても、開閉部により開口部を開放することにより、着用者はシューズを容易に脱ぐことができる。また、開閉部により開口部を閉鎖することにより、伸縮部の第１位置に対応する部分を、着用者の足首部分に対して容易に密着させることができる。【００３４】
第１１の形態は、第１０の形態において、開閉部は、アッパー本体において着用者の足の内甲側に対応する位置に配置された線ファスナ機構により構成されている。そして、線ファスナ機構は、アッパー本体において、長手方向が着用者の足の内側縦アーチに対応する位置から内踝に対応する位置よりも前方の位置を通って第１位置に向かうように延びていることを特徴とする。【００３５】
この第１１の形態では、線ファスナ機構は、アッパー本体の内甲側において、長手方向が着用者の足の内側縦アーチに対応する位置から内踝に対応する位置よりも前方の位置を通って第１位置に向かうように延びている。これにより、線ファスナ機構が着用者の足の内踝に直接的に接触しないようになる。その結果、開閉部として線ファスナ機構を適用した場合であっても、線ファスナ機構を操作したときに着用者の足に痛みが生じるおそれが減少する。また、線ファスナ機構を、着用者の足関節による可動域が比較的少ない位置に対応して配置することにより、着用者の足関節による様々な動きを妨げないようにすることができる。【００３６】
第１２の形態は、第１０または第１１の形態において、着用者の踵骨に対応する位置におけるソールの接地面を水平な基準面としたときに、伸縮部は、第２位置から第１位置に延びる部分が、基準面に対する鉛直上下方向に対し後方に傾いた方向に沿うように構成されていることを特徴とする。【００３７】
ところで、例えば陸上競技において、スプリント系種目あるいは跳躍種目では、着用者の足の爪先部分を下げた姿勢（すなわち、足関節により底屈させた姿勢）を維持しながらシューズのソールが地面に接地するような走行動作あるいは踏切動作が行われる場合がある。このような走行動作あるいは踏切動作では、シューズのソールにおいて着用者の足の踵骨に対応する位置の接地面が全く地面に接地しない、あるいは当該接地面が地面に接地したとしても当該接地面と地面との接地領域が極めて狭小の範囲に留まるようになる。このような走行動作あるいは踏切動作において、着用者の足関節による背屈の動作に伴って生じる上記ひずみエネルギーをより効果的に伸縮部に蓄積するためには、着用者の足関節により底屈した状態を基準の姿勢とするのが望ましい。このような背景に基づき、この第１２の形態において、伸縮部は、第２位置から第１位置に延びる部分が、基準面に対する鉛直上下方向に対し後方に傾いた方向に沿うように構成されている。かかる構成により、着用者の足を、足関節により底屈した状態を基準の姿勢とすることができる。そして、着用者の足関節による背屈の動作に伴って生じる上記ひずみエネルギーをより効果的に伸縮部に蓄積することができる。その結果、第１２の形態では、上述のスプリント系種目あるいは跳躍種目に適した走行動作あるいは踏切動作を行うことができる。【００３８】
第１３の形態は、第１〜第１２のいずれか１つの形態において、伸縮部は、着用者の足が後傾状態から直立状態に移行するに伴い、非伸長状態から伸長状態に変形するように構成されていることを特徴とする。【００３９】
第１３の形態では、伸縮部は、着用者の足が後傾状態から直立状態に移行するに伴い、非伸長状態から伸長状態に変形するように構成されている。かかる構成により、伸縮部には、着用者の足の足関節が底屈した状態から背屈動作に移行する伴って上記ひずみエネルギーが生じる。そして、このひずみエネルギーが伸縮部に蓄積される。その結果、主に着用者の足関節が底屈した状態から背屈動作に移行する動作を適切に補助することができる。【００４０】
第１４の形態は、第１〜第１３のいずれか１つの形態において、伸縮部の内表面には、着用者の足の踵部周りを側方および後方から覆うように形成された踵拡張部が設けられており、踵拡張部は、足長方向に沿って切断したときの断面視において、着用者の足の踵部後側に対応する位置から後方に向かって突出していることを特徴とする。【００４１】
第１３の形態では、踵拡張部を伸縮部の内表面に設けたことにより、着用者の足における足長方向の長さが相対的に拡張される。その結果、伸縮部における内表面の総面積が、踵拡張部を備えない構成と比較して、足長方向において相対的に大きく確保される。すなわち、踵拡張部を備えた構成では、伸縮部における足長方向の伸長範囲が相対的に大きくなる。このため、伸縮部が非伸長状態から伸長状態に変形するときに、伸縮部に大きなひずみエネルギーが蓄積されやすくなる。したがって、着用者の足関節における底屈を補助するという伸縮部のサポート性を高めることができる。
【発明の効果】
【００４２】
以上説明したように、本発明によると、着用者の足関節による様々な動作を適切に補助することができる。
【図面の簡単な説明】
【００４３】
【図１】図１は、第１実施形態に係るシューズを、足の骨格構造と併せて外甲側から見て示す側面図である。
【図２】図２は、第１実施形態に係るシューズを、足の骨格構造と併せて内甲側から見て示す側面図である。
【図３】図３は、第１実施形態に係るシューズを、後方から見て示す斜視図である。
【図４】図４は、着用者の足が後傾状態から直立状態に移行したときの第１実施形態に係るシューズを示す図２相当図である。
【図５】図５は、第１実施形態の変形例１に係るシューズを、足の骨格構造と併せて外甲側から見て示す側面図である。
【図６】図６は、第１実施形態の変形例１に係るシューズを、後方から見て示す斜視図である。
【図７】図７は、第１実施形態の変形例２に係るシューズを、足の骨格構造と併せて外甲側から見て示す側面図である。
【図８】図８は、第２実施形態に係るシューズを示す平面図である。
【図９】図９は、第２実施形態に係るシューズを、足の骨格構造と併せて外甲側から見て示す側面図である。
【図１０】図１０は、第２実施形態に係るシューズを、足の骨格構造と併せて内甲側から見て示す側面図である。
【図１１】図１１は、図８のXI−XI線断面図である。
【図１２】図１２は、図８のXII−XII線断面図である。
【図１３】図１３は、第３実施形態に係るシューズを外甲側から見て示す側面図である。
【図１４】図１４は、第３実施形態に係るシューズを内甲側から見て示す側面図である。
【図１５】図１５は、第４実施形態に係るシューズを外甲側から見て示す側面図である。
【図１６】図１６は、第４実施形態に係るシューズを内甲側から見て示す側面図である。
【図１７】図１７は、第４実施形態に係るシューズの縦断面構成を示す図１１相当図である。
【図１８】図１８は、第５実施形態に係るシューズを外甲側から見て示す側面図である。
【図１９】図１９は、図１８に示したアンカー部をアッパー本体から取り外した状態を概略的に示す側面図である。
【図２０】図２０は、第６実施形態に係るシューズを外甲側から見て示す側面図である。
【図２１】図２１は、第６実施形態に係るシューズの縦断面構成を示す図１１相当図である。
【発明を実施するための形態】
【００４４】
以下、本発明の各実施形態を図面に基づいて詳細に説明する。以下の各実施形態の説明は、本質的に例示に過ぎず、本発明、その適用物或いはその用途を制限することを意図するものではない。
【００４５】
［第１実施形態］
図１〜図４は、本発明の第１実施形態に係るシューズ１の全体を示している。このシューズ１は、主にランニング用や各種競技用のスポーツシューズとして使用される。なお、シューズ１を、日常使用のシューズおよびリハビリ用シューズとして使用してもよい。
【００４６】
ここで、シューズ１は、左足用シューズのみを例示している。右足用シューズは、左足用シューズと左右対称になるように構成されているので、以下の説明では左足用シューズのみについて説明し、右足用シューズの説明は省略する。
【００４７】
また、以下の説明において、上側および下側とはシューズ１の上下方向の位置関係を表し、前方（前側）および後方（後側）とはシューズ１の足長方向の位置関係を表し、内甲側および外甲側とはシューズ１の足幅方向の位置関係を表すものとする。
【００４８】
（ソール）
図１〜図４に示すように、シューズ１は、ソール２を備えている。この実施形態において、ソール２は、アウトソール３およびクリーツ部４，４，…により構成されている。
【００４９】
アウトソール３は、着用者の足の前足部から後足部に亘る範囲に対応して配設されている。アウトソール３は、比較的高い硬度を有する硬質弾性部材で構成されており、例えばポリエーテルブロックアミド（ＰＥＢＡ）やポリアミド等の熱可塑性樹脂が適している。
【００５０】
なお、この実施形態では、着用者の足の踵骨ＨＬの位置に対応するソール２の接地面を、地面または路面に水平な基準面Ｓ（図１および図２の一点鎖線を参照）として定めるものとする。
【００５１】
（アッパー）
次に、図１〜図４に示すように、シューズ１は、着用者の足を覆うためのアッパー１０を備えている。
【００５２】
（アッパー本体）
アッパー１０は、アッパー本体１１を有している。アッパー本体１１は、着用者の足の爪先部分から少なくとも着用者の足の腓骨および頸骨において内踝ＭＭおよび外踝ＬＭよりも上方に位置する足首部分（以下「足首部分」という）に亘る範囲を覆うように構成されている。
【００５３】
（足挿入部）
図１および図２に示すように、アッパー本体１１は、足挿入部１２を含む。足挿入部１２は、側面視において、着用者の足における踵骨ＨＬの上部と、腓骨および頸骨における内踝ＭＭおよび外踝ＬＭの各々の上部とを結んだ仮想線Ｃに対応する位置よりも上方に配置されている。この実施形態において、足挿入部１２は、側面視において仮想線Ｃに対応する位置の上側近傍に配置されている。
【００５４】
ここで、仮想線Ｃは、踵骨ＨＬの上部と、内踝ＭＭおよび外踝ＬＭの各々の中心Ａから約２ｃｍだけ離れた位置までの距離を半径とする仮想的な円（図１および図２に示した符号Ｂを参照）の上部とを結んだ線として定義される。なお、図１および図２に示した円Ｂの大きさは、一般的な成人男性における足の内踝ＭＭおよび外踝ＬＭを基準として規定している。
【００５５】
（伸縮部）
図１〜図４に示すように、アッパー本体１１は、伸縮部１５および非伸縮部１６を含む。伸縮部１５は、伸縮性を有する素材からなる。具体的に、伸縮部１５は、例えば伸縮性を有するテキスタイル材からなる。一方、非伸縮部１６は、伸縮部１５よりも伸縮しにくい材料からなる。具体的に、アッパー本体１１は、例えば編物や織物等のテキスタイル、不織布、合成皮革、人工皮革、天然皮革により構成されている。なお、図１〜図４では、伸縮部１５が配置された領域を強調して示すために、当該領域にドットによるハッチングを付している。
【００５６】
伸縮部１５は、アッパー本体１１において、着用者の足の内踝ＭＭおよび外踝ＬＭの各々の中心Ａに対応する位置を含みかつ足挿入部１２の位置を含む領域に配置されている。また、伸縮部１５は、着用者の足の内踝ＭＭに対応する位置から、足の踵部ＨＬ後側に対応する位置を経由して足の外踝ＬＭに対応する位置まで連続している。一方、非伸縮部１６は、アッパー本体１１において伸縮部１５が占める領域以外の領域に配置されている。そして、伸縮部１５および非伸縮部１６は、縫製などにより一体に形成されている。
【００５７】
ここで、図１〜図３に示すように、着用者がシューズ１を履いていないとき又は着用者が脱力した状態でシューズ１を履いているときには、足挿入部１２が足長方向の後方に開口し（図３参照）かつ伸縮部１５が非伸長状態となる。すなわち、アッパー本体１１は、着用者が脱力した状態でシューズ１を履いたときに、着用者の足の距腿関節を中心とする足関節（以下、単に「足関節」という）が底屈した状態となるように構成されている。
【００５８】
なお、上記「底屈した状態」とは、着用者が脱力した状態でシューズ１を履いたときに、着用者の足の足首部分がソール２の基準面Ｓに直交する鉛直上下方向に対し後方に５〜５０°の範囲（図１および図２に示した角度θを参照）で傾いた方向に沿うようになるのが好ましい。
【００５９】
そして、伸縮部１５は、非伸長状態から伸長状態に変形しかつ伸長状態から非伸長状態に弾性的に復元するように構成されている。具体的に、図４に示すように、伸縮部１５は、着用者の足が後傾状態から直立状態に移行するに伴い、非伸長状態から伸長状態に変形するように構成されている。
【００６０】
［第１実施形態の作用効果］
以上のように、伸縮部１５は、アッパー本体１１において、着用者の足の内踝ＭＭおよび外踝ＬＭの各々の中心Ａに対応する位置を含みかつ足挿入部１２の位置を含む領域に配置されている。すなわち、伸縮部１５は、着用者の足関節に対応する位置に配置されている。これにより、伸縮部１５は、着用者の足関節による様々な動作（すなわち、背屈、底屈、外転、内転、内反、外反、内がえし、外がえし等）に対応して伸長および収縮することが可能となる。
【００６１】
そして、伸縮部１５は、非伸長状態から伸長状態に変形しかつ伸長状態から非伸長状態に弾性的に復元するように構成されている。具体的に、着用者の足関節が所定の方向に向かって動作した場合には、伸縮部１５が、該所定の方向に向かって伸長するように変形する。すなわち、伸縮部１５は、非伸長状態から伸長状態に変形するようになる。このとき、伸縮部１５には、伸長によりひずみエネルギーが蓄積される。次に、着用者の足関節が上記所定の方向に動作した後に足関節が該所定の方向と反対方向に動作すると、伸縮部１５に蓄積された上記ひずみエネルギーが解放される。これにより、伸縮部１５には、弾性的な復元力が上記反対方向に向かって生じるようになる。すなわち、伸縮部１５は、伸長状態から非伸長状態に弾性的に復元するように収縮する。かかる構成により、着用者の足において特に足関節よりも下側に位置する部位が元の状態に戻りやすくなる。このように、第１実施形態に係るシューズ１では、着用者の足関節による様々な動作を適切に補助することが可能となる。そして、着用者の足関節の様々な動作を、特に各種目の運動競技に求められる動作に適合するようにコントロールすることができる。
【００６２】
したがって、第１実施形態に係るシューズ１では、着用者の足関節による様々な動作を適切に補助することができる。
【００６３】
また、第１実施形態に係るシューズ１では、足挿入部１２が、側面視において仮想線Ｃに対応する位置の上側近傍に配置されている。このように、伸縮部１５を最小限の領域に抑えた形態であっても、伸縮部１５を、アッパー本体１１において着用者の足の内踝ＭＭおよび外踝ＬＭの各々に対応する位置に配置することが可能となる。その結果、シューズ１では、上述のように、着用者の足関節による様々な動作を適切に補助することができる。
【００６４】
ところで、例えば上述した特許文献１のシューズには、着用者の足の内踝および外踝よりも上方に位置しかつ着用者の足を覆う部材（特許文献１の図１に示されたカラーヨーク１０４を参照）が設けられている。これに対し、第１実施形態に係るシューズ１では、足挿入部１２が側面視において仮想線Ｃに対応する位置の上側近傍に配置されていることから、着用者の足の内踝ＭＭおよび外踝ＬＭよりも上方に足首を覆う部材が存在しない。このため、第１実施形態に係るシューズ１では、上記特許文献１のシューズとの対比において、軽量化できるとともに、履きやすさを担保することができる。
【００６５】
また、伸縮部１５は、着用者の足の内踝ＭＭに対応する位置から、足の踵部ＨＬ後側に対応する位置を経由して足の外踝ＬＭに対応する位置まで連続している。すなわち、伸縮部１５は、着用者の足関節に対応する位置を側方および後方から覆うように構成されている。かかる構成により、着用者の足関節による様々な動作を適切に補助することができる。
【００６６】
また、伸縮部１５は、着用者の足が後傾状態から直立状態に移行するに伴い、非伸長状態から伸長状態に変形するように構成されている。かかる構成により、伸縮部１５には、着用者の足の足関節が底屈した状態から背屈動作に移行する伴って上記ひずみエネルギーが生じる。そして、このひずみエネルギーが伸縮部１５に蓄積される。その結果、シューズ１では、主に着用者の足関節が底屈した状態から背屈動作に移行する動作を適切に補助することができる。
【００６７】
（第１実施形態の変形例１）
上記第１実施形態に係るシューズ１の変形例として、図５および図６に示すように、アッパー１０は、伸縮部１５の外表面および内表面の少なくともいずれか一方に設けられた補強部１７をさらに有していてもよい。この変形例１では、伸縮部１５の内表面に設けられた補強部１７を例示している。
【００６８】
この変形例１において、補強部１７は、例えばシート状に形成されている。補強部１７は、伸縮性を有する材料からなる。第１補強部の材料としては、熱硬化性ポリウレタン、熱可塑性ポリウレタン（ＴＰＵ）、スチレン系エラストマーなどの樹脂材、ラバー材、伸縮性を有するテキスタイル材などが適している。
【００６９】
補強部１７は、主に着用者の足の踵部ＨＬ、内踝ＭＭ、および外踝ＬＭに対応する位置に配置されている。また、補強部１７は、外甲側から見た側面視において、着用者の足の踵部ＨＬに対応する位置から上方に向かって２つの方向に分岐するように延びている。具体的に、補強部１７における一方の分岐部は、伸縮部１５において足挿入部１２の近傍に配置されていて、着用者の足の踵部ＨＬに対応する位置から外踝ＬＭに対応する位置に向かって延びている。また、補強部１７における他方の分岐部は、伸縮部１５の下側に位置する非伸縮部１６に配置されている。そして、補強部１７は、例えば、縫製、接着剤による接着、熱融着、含侵などの方法により伸縮部１５および非伸縮部１６の内表面に対して固着されている。なお、図示しないが、補強部１７は、内甲側から見た側面視においても、上記と同様に構成されている。
【００７０】
このような変形例１に係るシューズ１では、伸縮部１５の内表面に設けられた補強部１７により、伸縮部１５とともに、着用者の足の足関節による動作（特に背屈および底屈）を補助することができる。また、補強部１７は、伸縮部１５および非伸縮部１６の双方に跨がって配置されていることから、伸縮部１５および非伸縮部１６の双方において、着用者の足（特に、踵部ＨＬ、内踝ＭＭ、および外踝ＬＭに対応する位置）に対するフィット性およびホールド性を高めることもできる。
【００７１】
（第１実施形態の変形例２）
また、上記第１実施形態では、伸縮部１５が、着用者の足の内踝ＭＭに対応する位置から、足の踵部ＨＬ後側に対応する位置を経由して足の外踝ＬＭに対応する位置まで連続している形態を示したが、この形態に限られない。
【００７２】
例えば、図７に示した変形例２のように、２つに分離された各伸縮部１５が、足の踵部ＨＬ後側に対応する位置を経由せずに、着用者の足の内踝ＭＭおよび外踝ＬＭに対応する位置にそれぞれ配置されていてもよい。このような変形例２であっても、伸縮部１５を、アッパー本体１１において着用者の足の内踝ＭＭおよび外踝ＬＭの各々に対応する位置に配置させることが可能となる。したがって、変形例２に係るシューズ１であっても、上記第１実施形態と同様に、着用者の足関節による様々な動作を適切に補助することができる。
【００７３】
なお、この変形例２に係るシューズ１のように、アッパー１０は、舌状部９および靴紐５０を有していてもよい。また、伸縮部１５の外表面には、線状に形成された複数の補強部１８，１８，・・・が設けられていてもよい。
【００７４】
［第２実施形態］
図８〜図１２は、本発明の第２実施形態に係るシューズ１を示す。この実施形態では、第１実施形態と比較して、アッパー１０の構成が異なっている。なお、この実施形態に係るシューズ１の他の構成は、第１実施形態に係るシューズ１の構成と同様である。このため、以下の説明では、図１〜図４と同じ部分について同じ符号を付し、その詳細な説明を省略する。
【００７５】
アッパー本体１１は、第１〜第３位置１１ａ〜１１ｃを含む。第１位置１１ａは、着用者の足首部分の位置に対応している。第２位置１１ｂは、着用者の足の距腿関節の位置に対応している。第３位置１１ｃは、着用者の足の横足根関節（いわゆるショパール関節）の位置に対応している。
【００７６】
（足挿入部）
図８〜図１０に示すように、アッパー本体１１は、足挿入部１２を含む。この実施形態において、足挿入部１２は、アッパー本体１１の第１位置１１ａに設けられている。足挿入部１２は、第２位置１１ｂから第１位置１１ａに向かって上方に開口している。なお、足挿入部１２は、アッパー本体１１の第１位置１１ａよりも上方に配置されていてもよい。
【００７７】
（開口部）
アッパー本体１１は、開口部１３を含む。開口部１３は、足挿入部１２の開口領域を拡げるためのものである。開口部１３は、足挿入部１２と連続している。開口部１３は、アッパー本体１１において着用者の足の内甲側に対応する位置に配置されている。開口部１３は、アッパー本体１１の一部が第１位置１１ａから下方に向かって線状に切り込まれるように形成されている。具体的に、開口部１３は、長手方向が着用者の足の内側縦アーチに対応する位置から内踝ＭＭに対応する位置よりも前方の位置を通って第１位置１１ａに向かうように延びている。
【００７８】
なお、一般的に、内側縦アーチは、拇趾中足骨ＭＴ１、内側楔状骨ＣＭ、舟状骨ＮＢ、距骨ＴＢ、および踵骨ＨＬにより構成される部位（いわゆる土踏まず）に相当する（図１０参照）。
【００７９】
（開閉部）
図８および図１０に示すように、アッパー本体１１は、開閉部１４を含む。開閉部１４は、開口部１３を閉鎖または開放するためのものである。この実施形態において、開閉部１４は、線ファスナ機構により構成されている。
【００８０】
線ファスナ機構は、一対の務歯部１４ａ，１４ａおよびスライダ部１４ｂを有している。務歯部１４ａ，１４ａは、開口部１３に位置しかつ互いに向かい合うように配置されている。スライダ部１４ｂは、スライド動作により務歯部１４ａ，１４ａが互いに接近および離反するように操作可能となっている。
【００８１】
線ファスナ機構は、アッパー本体１１において着用者の足の内甲側に対応する位置に配置されている。線ファスナ機構は、アッパー本体１１において、長手方向が着用者の足の内側縦アーチに対応する位置から内踝ＭＭに対応する位置よりも前方の位置を通って第１位置１１ａに向かうように延びている。
【００８２】
（アンカー部）
図１１および図１２に示すように、アッパー１０は、アンカー部２０を有している。アンカー部２０の材料としては、熱硬化性ポリウレタン、熱可塑性ポリウレタン（ＴＰＵ）、スチレン系エラストマーなどの樹脂材、ラバー材、伸縮性を有するテキスタイル材などが適している。
【００８３】
アンカー部２０は、例えばシート状に形成されている。アンカー部２０は、アッパー本体１１の内表面に配置されている。アンカー部２０は、例えば、縫製、接着剤による接着、熱融着、含侵などの方法によりアッパー本体１１の内表面に対して固着されている。
【００８４】
アンカー部２０は、アッパー本体１１の第１位置１１ａを含む位置に配置されている。すなわち、アンカー部２０は、アッパー本体１１（後述する伸縮部１５）において着用者の足首部分に対応する位置に配置されている。そして、シューズ１を履いた着用者が開閉部１４により開口部１３を閉鎖した状態では、アンカー部２０が着用者の足首部分の周囲に巻き付いた状態となる。すなわち、着用者がシューズ１を履いた状態において、アンカー部２０は、アッパー本体１１の第１位置１１ａが着用者の足首部分に対して位置決めされるように構成されている。
【００８５】
（第１補強部）
図１１および図１２に示すように、アッパー１０は、第１補強部２１を有している。第１補強部２１は、伸縮性を有する材料からなる。具体的に、第１補強部２１の材料としては、熱硬化性ポリウレタン、熱可塑性ポリウレタン（ＴＰＵ）、スチレン系エラストマーなどの樹脂材、ラバー材、伸縮性を有するテキスタイル材などが適している。なお、第１補強部２１は、アンカー部２０と同じ材料により構成されていてもよく、アンカー部２０と異なる材料により構成されていてもよい。
【００８６】
第１補強部２１は、例えばシート状に形成されている。第１補強部２１は、アッパー本体１１（後述する伸縮部１５）の内表面に配置されている。具体的に、第１補強部２１は、例えば、縫製、接着剤による接着、熱融着、含侵などの方法によりアッパー本体１１（後述する伸縮部１５）の内表面に対して固着されている。
【００８７】
第１補強部２１は、アッパー本体１１において第１位置１１ａよりも下方に位置するように配置されている。また、第１補強部２１は、アッパー本体１１において着用者の足の内踝ＭＭおよび外踝ＬＭよりも後方の領域に対応して配置されている。具体的に、第１補強部２１は、アッパー本体１１において着用者の足の内踝ＭＭおよび外踝ＬＭよりも後方に位置する踵骨ＨＬの後端部から着用者の足のアキレス腱（図示せず）に亘る範囲を含む位置に対応して配置されている。
【００８８】
（第２補強部および第３補強部）
図１１および図１２に示すように、アッパー１０は、第２補強部２２および第３補強部２３を有している。第２補強部２２および第３補強部２３の各々は、第１補強部２１と同様に、伸縮性を有する材料からなり、例えばシート状に形成されている。また、第２補強部２２および第３補強部２３の各々は、第１補強部２１と同様に、アッパー本体１１（後述する伸縮部１５）の内表面に設けられている。
【００８９】
第２補強部２２は、アッパー本体１１の内甲側において第１位置１１ａよりも下方に配置されている。第２補強部２２は、着用者の足の内踝ＭＭおよび踵骨ＨＬから横足根関節に亘る範囲を含む位置に対応して配置されている。
【００９０】
第３補強部２３は、アッパー本体１１の外甲側において第１位置１１ａよりも下方に配置されている。第３補強部２３は、アッパー本体１１の外甲側において着用者の足の外踝ＬＭおよび踵骨ＨＬから横足根関節に亘る範囲を含む位置に対応して配置されている。
【００９１】
（伸縮部）
図８〜図１２に示すように、伸縮部１５は、着用者の足関節を含む位置を覆うように構成されている。具体的に、この第２実施形態の伸縮部１５は、アッパー本体１１の足関節対応領域に配置されている。一方、非伸縮部１６は、アッパー本体１１において足関節対応領域以外の領域に配置されている。
【００９２】
足関節対応領域は、アッパー本体１１において、着用者の足の踵骨ＨＬおよび距骨ＴＢに対応する領域を含みかつ第１位置１１ａから第２位置１１ｂを経て第３位置１１ｃに亘る領域に相当する。すなわち、アッパー本体１１は、伸縮部１５が足関節対応領域に位置する着用者の足の各関節の動きに対して柔軟に追従するように構成されている。
【００９３】
伸縮部１５は、第１位置１１ａに対応する部分の周囲長が着用者の足首部分の周囲長よりも小さい略筒状に形成されている。そして、伸縮部１５は、第１位置１１ａに対応する部分が着用者の足首部分と密着したときに非伸長状態から周方向に拡張するように構成されている。具体的に、着用者がシューズ１を履いた状態において、伸縮部１５は、第１位置１１ａに対応する部分が着用者の足首部分と密着したときに非伸長状態から少なくとも３％以上伸長するように構成されているのが好ましい。
【００９４】
図９〜図１２に示すように、伸縮部１５は、第２位置１１ｂから第１位置１１ａに延びる部分が、ソール２の基準面Ｓに対する鉛直上下方向に対し後方に傾いた方向に沿うように構成されている。すなわち、着用者がシューズ１を履いたときに、アッパー本体１１は、着用者の足関節が底屈した状態となるように構成されている。
【００９５】
ところで、人体の足が底屈する場合には、通常の接地時において中立位となる足の腓骨および頸骨の長手方向（すなわち鉛直上下方向）に対し５〜５０°の範囲で後方に傾くようになるのが一般的である。このことから、伸縮部１５は、第２位置１１ｂから第１位置１１ａに延びる部分が、鉛直上下方向に対し後方に５〜５０°の範囲（図９に示した角度θを参照）で傾いた方向に沿うように構成されているのが好ましい。
【００９６】
そして、アンカー部２０によりアッパー本体１１の第１位置１１ａが着用者の足首部分に位置決めされた状態において、伸縮部１５は、足関節対応領域で非伸長状態から伸長状態に変形しかつ伸長状態から非伸長状態に弾性的に復元するように構成されている。
【００９７】
［第２実施形態の作用効果］
以上のように、この第２実施形態に係るシューズ１において、伸縮部１５は、伸縮性を有する素材からなり、アッパー本体１１の足関節対応領域に配置されている。すなわち、伸縮部１５は、着用者の足関節の全体を覆うように構成されている。かかる構成により、伸縮部１５は、着用者の足関節による様々な動作（すなわち、背屈、底屈、外転、内転、内反、外反、内がえし、外がえし等）に対応して伸長および収縮するようになる。
【００９８】
また、アンカー部２０は、アッパー本体１１の第１位置１１ａが着用者の足首部分に対して位置決めされるように構成されている。かかる構成により、特にアッパー本体１１の足関節対応領域に配置した伸縮部１５を、着用者の足関節を中心とする各部位に対して適切にフィットさせることが可能となる。すなわち、伸縮部１５の位置を、アンカー部２０により着用者の足関節を中心とする各部位の位置からずれないように安定させることが可能となる。
【００９９】
そして、アンカー部２０によりアッパー本体１１の第１位置１１ａが着用者の足首部分に位置決めされた状態において、伸縮部１５は、非伸長状態から伸長状態に変形しかつ伸長状態から非伸長状態に弾性的に復元するように構成されている。具体的に、着用者の足関節が所定の方向に向かって動作した場合には、伸縮部１５が、該所定の方向に向かって伸長するように変形する。すなわち、伸縮部１５は、非伸長状態から伸長状態に変形するようになる。このとき、伸縮部１５には、伸長によりひずみエネルギーが蓄積される。次に、着用者の足関節が上記所定の方向に動作した後に足関節が該所定の方向と反対方向に動作すると、伸縮部１５に蓄積された上記ひずみエネルギーが解放される。これにより、伸縮部１５には、アンカー部２０の位置（第１位置１１ａ）を起点として弾性的な復元力が上記反対方向に向かって生じるようになる。すなわち、伸縮部１５は、伸長状態から非伸長状態に弾性的に復元するように収縮する。かかる構成により、着用者の足において特に足関節よりも下側に位置する部位が元の状態に戻りやすくなる。このように、第２実施形態に係るシューズ１では、着用者の足関節による様々な動作を適切に補助することが可能となる。そして、着用者の足関節の様々な動作を、特に各種目の運動競技に求められる動作に適合するようにコントロールすることができる。
【０１００】
したがって、第２実施形態に係るシューズ１では、着用者の足関節による様々な動作を適切に補助することができる。
【０１０１】
ところで、上述した特許文献１のシューズでは、足挿入部の近傍において弾性領域および回転領域により上記回動が行われるように構成されているため、特に足挿入部の近傍において応力が集中しやすくなり、シューズが破損しやすくなっていた。また、上述した特許文献１のシューズでは、弾性領域および回転領域が比較的細長となるように形成されているため、シューズ自体の製造が複雑となり、生産効率が低下するという問題もあった。これに対し、第２実施形態に係るシューズ１では、伸縮部１５をアッパー本体１１の足関節対応領域に配置した構成により、足挿入部１２の近傍において応力が集中しにくくなり、シューズ１が破損しにくくなるとともに、シューズ１自体の製造が容易となり、生産効率を向上させることができる。
【０１０２】
また、第２実施形態に係るシューズ１では、第１補強部２１により、特に着用者の足の内踝ＭＭおよび外踝ＬＭよりも後方に位置するアキレス腱による動作（すなわち、背屈および底屈）を補助することが可能となる。具体的に、第１補強部２１は、背屈に応じて上下方向に伸長する。第１補強部２１には、伸長によりひずみエネルギーが蓄積される。次に、背屈の後に底屈が行われると、第１補強部２１に蓄積された上記ひずみエネルギーが解放される。そして、第１補強部２１は、非伸長状態に復元するように収縮する。かかる構成によれば、特に底屈が行われるときに、着用者の足のアキレス腱が元の状態に戻りやすくなる。したがって、伸縮部１５および第１補強部２１により、特に着用者の足のアキレス腱による動作を適切に補助することができる。
【０１０３】
また、第２実施形態に係るシューズ１では、第２補強部２２により、特に着用者の足関節の外反を補助することが可能となる。具体的に、第２補強部２２は、外反に応じて主に上下方向に反るように伸長する。第２補強部２２には、伸長によりひずみエネルギーが蓄積される。次に、外反が行われた後に足関節が元の状態に戻ろうとすると、第２補強部２２に蓄積された上記ひずみエネルギーが解放される。そして、第２補強部２２は、非伸長状態に復元するように収縮する。かかる構成によれば、特に外反が行われるときに、着用者の足関節が元の状態に戻りやすくなる。したがって、伸縮部１５および第２補強部２２により、特に着用者の足関節の外反を適切に補助することができる。
【０１０４】
また、第２実施形態に係るシューズ１では、第３補強部２３により、特に着用者の足関節の内反を補助することが可能となる。具体的に、第３補強部２３は、内反に応じて主に上下方向に反るように伸長する。第３補強部２３には、伸長によりひずみエネルギーが蓄積される。次に、内反が行われた後に足関節が元の状態に戻ろうとすると、第３補強部２３に蓄積された上記ひずみエネルギーが解放される。そして、第３補強部２３は、非伸長状態に復元するように収縮する。かかる構成によれば、特に内反が行われるときに、着用者の足関節が元の状態に戻りやすくなる。したがって、伸縮部１５および第３補強部２３により、特に着用者の足関節の内反を適切に補助することができる。
【０１０５】
また、伸縮部１５は、第１位置１１ａに対応する部分が着用者の足首部分と密着したときに非伸長状態から周方向に拡張するように構成されている。かかる構成により、伸縮部１５の第１位置１１ａに対応する部分が、着用者の足首部分にフィットした状態となりかつ着用者の足首部分に対応する位置に固定されるようになる。その結果、伸縮部１５の位置を、アンカー部２０による上記作用とともに、着用者の足関節を中心とする各部位の位置からずれないように安定させることができる。
【０１０６】
また、第２実施形態に係るシューズ１では、伸縮部１５の第１位置１１ａに対応する部分が着用者の足首部分に密着した状態であっても、開閉部１４により開口部１３を開放することにより、着用者はシューズ１を容易に脱ぐことができる。また、開閉部１４により開口部１３を閉鎖することにより、伸縮部１５の第１位置１１ａに対応する部分を、着用者の足首部分に対して容易に密着させることができる。
【０１０７】
また、線ファスナ機構は、アッパー本体１１の内甲側において、長手方向が着用者の足の内側縦アーチに対応する位置から内踝ＭＭに対応する位置よりも前方の位置を通って第１位置１１ａに向かうように延びている。これにより、線ファスナ機構が着用者の足の内踝ＭＭに直接的に接触しないようになる。その結果、開閉部１４として線ファスナ機構を適用した場合であっても、線ファスナ機構を操作したときに着用者の足に痛みが生じるおそれが減少する。また、線ファスナ機構を、着用者の足関節の可動域が比較的少ない位置に対応して配置することにより、着用者の足関節の様々な動きを妨げないようにすることができる。
【０１０８】
ところで、例えば陸上競技において、スプリント系種目あるいは跳躍種目では、着用者の足の爪先部分を下げた姿勢（すなわち、足関節により底屈させた姿勢）を維持しながらシューズ１のソール２が地面に接地するような走行動作あるいは踏切動作が行われる場合がある。このような走行動作あるいは踏切動作では、シューズ１のソール２において着用者の足の踵骨ＨＬに対応する位置の接地面が全く地面に接地しない、あるいは当該接地面が地面に接地したとしても当該接地面と地面との接地領域が極めて狭小の範囲に留まるようになる。このような走行動作あるいは踏切動作において、着用者の足関節の背屈動作に伴って生じる上記ひずみエネルギーをより効果的に伸縮部１５に蓄積するためには、着用者の足関節が底屈した状態を基準の姿勢とするのが望ましい。
【０１０９】
このような背景に基づき、第２実施形態に係るシューズ１において、伸縮部１５は、第２位置１１ｂから第１位置１１ａに延びる部分が、基準面Ｓに対する鉛直上下方向に対し後方に傾いた方向に沿うように構成されている。かかる構成により、着用者の足を、足関節が底屈した状態を基準の姿勢とすることができる。そして、着用者の足関節の背屈動作に伴って生じる上記ひずみエネルギーをより効果的に伸縮部１５に蓄積することができる。その結果、第２実施形態に係るシューズ１では、上述のスプリント系種目あるいは跳躍種目に適した走行動作あるいは踏切動作を行うことができる。
【０１１０】
［第３実施形態］
図１３および図１４は、本発明の第２実施形態に係るシューズ１を示す。この実施形態では、第２実施形態と比較して、アッパー１０の構成が一部異なっている。なお、この実施形態に係るシューズ１の他の構成は、第２実施形態に係るシューズ１の構成と同様である。このため、以下の説明では、図８〜図１２と同じ部分について同じ符号を付し、その詳細な説明を省略する。
【０１１１】
図１３および図１４に示すように、アッパー本体１１の外表面全体には、第１外側補強部３１が設けられている。第１外側補強部３１は、例えばポリウレタンからなり、含浸などによりアッパー本体１１の外表面に積層配置されている。第１外側補強部３１は、複数の六角形状の部分が互いに隙間なく並べられたハニカム構造となるように構成されている。
【０１１２】
第３実施形態に係るシューズ１では、第１外側補強部３１によりアッパー本体１１の耐久性を高めることができる。そして、第１外側補強部３１は、アッパー本体１１（伸縮部１５）においてアンカー部２０および第１〜第３補強部２１〜２３の各々と対向する位置を含むように配置されている。これにより、上記第２実施形態で示したアンカー部２０および第１〜第３補強部２１〜２３の各々による作用効果をより一層高めることができる。
【０１１３】
［第４実施形態］
図１５〜図１７は、本発明の第３実施形態に係るシューズ１を示す。この実施形態では、第２実施形態と比較して、アッパー１０の構成が異なっている。なお、この実施形態に係るシューズ１の他の構成は、第２実施形態に係るシューズ１の構成と同様である。このため、以下の説明では、図８〜図１２と同じ部分について同じ符号を付し、その詳細な説明を省略する。
【０１１４】
上記第２および第３実施形態では、伸縮部１５がアッパー本体１１の足関節対応領域に配置された形態を示したが、このような形態に限られない。すなわち、第４実施形態のように、伸縮部１５は、足関節対応領域を含むアッパー本体１１の全域に配置されていてもよい。このように伸縮部１５を配置しても、上記第１実施形態で示した伸縮部１５と同様の作用効果を奏し得る。なお、この第４実施形態ではアッパー本体１１が伸縮部１５に相当することから、図１５〜図１７では上記第２実施形態で示したようなドットハッチングの図示を省略している。
【０１１５】
また、図１７に示すように、第４実施形態に係るシューズ１において、アッパー本体１１の内表面には、内側補強部４０が設けられている。内側補強部４０は、例えばポリウレタンからなり、シート状に形成されている。内側補強部４０は、例えば含浸によりアッパー本体１１の内表面に積層配置されている。内側補強部４０は、複数の帯状部が足長方向および上下方向に互いに交差するように構成されている。なお、内側補強部４０は、シート状に限られず、ソリッド状の構造体、発泡体、フィルム、印刷体などに形成されていてもよい。
【０１１６】
この内側補強部４０により、アッパー本体１１の耐久性を高めることができる。そして、内側補強部４０は、アッパー本体１１（伸縮部１５）において、上記第１実施形態におけるアンカー部２０および第１〜第３補強部２１〜２３の各々の位置に対応して配置されている。これにより、上記第２実施形態で示したアンカー部２０および第１〜第３補強部２１〜２３の各々による作用効果と同様の作用効果を得ることができる。
【０１１７】
さらに、図１５および図１６に示すように、第４実施形態に係るシューズ１において、アッパー本体１１の外表面には、第２および第３外側補強部３２，３３が設けられている。第２および第３外側補強部３２，３３の各々は、例えばポリウレタンからなり、ソリッド状の構造体に形成されている。第２および第３外側補強部３２，３３の各々は、例えば含浸によりアッパー本体１１の外表面に積層配置されている。第２外側補強部３２は、複数の針状部が足長方向に間隔をあけて配置されるように構成されている。第３外側補強部３３は、足長方向に延びる略帯状に形成されている。なお、第２および第３外側補強部３２，３３の各々は、ソリッド状の構造体に限られず、シート状の構造体、発泡体、フィルム、印刷体などにより形成されていてもよい。
【０１１８】
この第２および第３外側補強部３３により、アッパー本体１１の耐久性を高めることができる。そして、第２および第３外側補強部３３は、アッパー本体１１（伸縮部１５）の外表面において、上記第２実施形態で示した第１〜第３補強部２１〜２３の各々の位置に対向するように配置されている。これにより、内側補強部４０による作用効果をより一層高めることができる。すなわち、第４実施形態に係るシューズ１のように、複数の補強部を適宜組み合わせることにより、着用者の足関節による様々な動作を補助する効果を高めることができる。
【０１１９】
［第５実施形態］
図１８および図１９は、本発明の第５実施形態に係るシューズ１を示す。この実施形態では、第２実施形態と比較して、アッパー１０の構成が異なっている。なお、この実施形態に係るシューズ１の他の構成は、第２実施形態に係るシューズ１の構成と同様である。このため、以下の説明では、図８〜図１２と同じ部分について同じ符号を付し、その詳細な説明を省略する。第５実施形態に係るシューズ１では、上記第２実施形態で示した開口部１３および開閉部１４を備えていない。
【０１２０】
図１８および図１９に示すように、第４実施形態に係るアッパー１０は、靴紐５０と、ハトメ補強５１と、支持部５２，５２，…を有している。
【０１２１】
ハトメ補強５１は、アッパー本体１１の外表面に設けられている。ハトメ補強５１は、アッパー本体１１の第３位置１１ｃの手前側に配置されている。ハトメ補強５１は、靴紐５０を通すための複数の孔部を有している。
【０１２２】
支持部５２，５２，…は、アッパー本体１１の外表面に設けられている。各支持部５２は、ソール２の周縁部から上方に向かって延びるように配置されている。支持部５２，５２，…は、足長方向に間隔をあけて配置されている。支持部５２は、図示しないが正面から見たときに略輪状となるように形成されていて、靴紐５０を通すことが可能となるように構成されている。
【０１２３】
靴紐５０は、各支持部５２およびハトメ補強５１の各孔部に通された状態でアッパー本体１１を緊締するように構成されている。かかる構成により、アッパー本体１１を、着用者の足の形状に沿うようにフィットさせることが可能となる。
【０１２４】
また、第５実施形態に係るシューズ１において、アンカー部２０および第１〜第３補強部２１〜２３は、アッパー本体１１の外表面に設けられている。
【０１２５】
アンカー部２０および第１〜第３補強部２１〜２３は、互いに一体に形成されていて、シート状に形成されている。なお、アンカー部２０および第１〜第３補強部２１〜２３の各々は、ソリッド状の構造体、発泡体、フィルム、印刷体などにより形成されていてもよい。
【０１２６】
アンカー部２０および第１補強部２１の上部は、アッパー本体１１の外表面に対して浮いた状態となるように配置されている。第１補強部２１の下部は、アッパー本体１１の外表面に対して固着されている。第２および第３補強部２２，２３の各々は、アッパー本体１１の外表面に対して固着されている。なお、図示しないが、第２補強部２２は、図１８および図１９に示した第３補強部２３と略同じ構成となるように形成されている。
【０１２７】
第５実施形態のアンカー部２０は、略帯状に形成されている。また、アンカー部２０と第１補強部２１との境界となる位置（図１８および図１９の二点鎖線を参照）において、アンカー部２０は、後端部が第１補強部２１の前端部と連続するように形成されている。
【０１２８】
アンカー部２０は、アッパー本体１１（伸縮部１５）に対して着脱可能となるように構成されている。具体的に、アッパー本体１１の第１位置１１ａを含む位置には、面ファスナを構成する第１係合部２０ａが固着されている。また、アンカー部２０の裏面には、面ファスナを構成する第２係合部２０ｂが固着されている。
【０１２９】
アンカー部２０は、第１係合部２０ａと第２係合部２０ｂとが互いに係合することにより、アッパー本体１１（伸縮部１５）に対して取り付けられるようになる（図１９の矢印を参照）。そして、アンカー部２０は、第１係合部２０ａと第２係合部２０ｂとの係合位置を変えることにより、アッパー本体１１の第１位置１１ａにおける緊締力を調整することも可能となっている。
【０１３０】
このように、第５実施形態に係るシューズ１であっても、上記第２実施形態に係るシューズ１と同様に、伸縮部１５の位置を、アンカー部２０により着用者の足関節を中心とする各部位の位置からずれないように安定させることができる。
【０１３１】
［第６実施形態］
図２０および図２１は、本発明の第６実施形態に係るシューズ１を示す。この実施形態は、第２実施形態と比較して、伸縮部１５の内表面に別部材が付加される点が異なっている。なお、この実施形態に係るシューズ１の他の構成は、第２実施形態に係るシューズ１の構成と同様である。このため、以下の説明では、図８〜図１２と同じ部分について同じ符号を付し、その詳細な説明を省略する。なお、第６実施形態に係るシューズ１は、上記第２実施形態で示した開口部１３および開閉部１４を備えていない。
【０１３２】
図２０に示すように、伸縮部１５の内表面には、着用者の足の踵部ＨＬ周りを側方（内甲側および外甲側）および後方から覆うように形成された踵拡張部６０が設けられている。図２１に示すように、踵拡張部６０は、足長方向に沿って切断したときの断面視において、着用者の足の踵部ＨＬ後側に対応する位置から後方に向かって突出している。具体的に、踵拡張部６０は、上記断面視において、着用者の足の踵部ＨＬに対抗する面から伸縮部の内表面に対抗する面までの距離（厚み）が５ｍｍ以上となるのが好ましい。より好ましくは、上記距離が１０ｍｍ以上である。
【０１３３】
このように踵拡張部６０を伸縮部１５の内表面に設けたことにより、着用者の足における足長方向の長さが相対的に拡張される。その結果、伸縮部１５における内表面の総面積が、踵拡張部６０を備えない構成と比較して、足長方向において相対的に大きく確保される。すなわち、踵拡張部６０を備えた構成では、伸縮部１５における足長方向の伸長範囲が相対的に大きくなる。このため、伸縮部１５が非伸長状態から伸長状態に変形するときに、伸縮部１５に大きなひずみエネルギーが蓄積されやすくなる。したがって、第６実施形態に係るシューズ１では、着用者の足関節における底屈を補助するという伸縮部１５のサポート性を高めることができる。
【０１３４】
なお、この実施形態では、着用者の足の踵部ＨＬを保護するためのカウンター（図示せず）をアッパー本体１１に設けない形態を示しているが、上記カウンターを設ける場合には、踵拡張部６０を上記カウンターと一体に形成した状態で伸縮部１５の内表面に設けてもよい。
【０１３５】
［その他の実施形態］
上記第１実施形態では、ソール２がアウトソール３およびクリーツ部４，４，…により構成された形態を示したが、この形態に限られない。例えば、クリーツ部４，４，…を省略しかつミッドソール（図示せず）をアウトソール３の上側に積層配置した形態としてもよい。上記第２〜第６実施形態についてもこれと同様である。
【０１３６】
また、上記第２実施形態では、開閉部１４として線ファスナ機構を適用した形態を示したが、この形態に限られない。例えば、開閉部１４として、線ファスナ機構に代えて、靴紐（図示せず）を適用してもよい。なお、開閉部１４として靴紐を適用する場合には、靴紐を、上記第１実施形態で示した線ファスナ機構の位置以外の位置に配置してもよい。
【０１３７】
また、上記第２実施形態では、伸縮部１５を、第２位置１１ｂから第１位置１１ａに延びる部分が基準面Ｓに対する鉛直上下方向に対し後方に傾いた方向に沿うように構成した形態を示したが、この形態に限られない。例えば、上記第２実施形態に係るシューズ１を上述したスプリント系種目あるいは跳躍種目に用いない場合には、伸縮部１５を上記第２実施形態で示したように構成しなくてもよい。すなわち、伸縮部１５は、第２位置１１ｂから第１位置１１ａに延びる部分が、基準面Ｓに対する鉛直上下方向に沿うように構成されていてもよい。
【０１３８】
また、上記第２実施形態では、アンカー部２０および第１〜第３補強部２１〜２３の各々をシート状に形成した形態を示したが、この形態に限られない。例えば、アンカー部２０および第１〜第３補強部２１〜２３の各々は、ソリッド状の構造体、発泡体、フィルム、印刷体などにより形成されていてもよい。上記第３実施形態についてもこれと同様である。
【０１３９】
また、上記第２実施形態では、アンカー部２０および第１〜第３補強部２１〜２３の各々を互いに分離した形態を示したが、この形態に限られない。すなわち、アンカー部２０および第１〜第３補強部２１〜２３を一体に形成してもよい。上記第３実施形態についてもこれと同様である。
【０１４０】
また、上記第２実施形態では、着用者の足の踵部を保護するためのカウンターをアッパー本体１１に設けない形態を示したが、カウンター（図示せず）を設ける場合には、伸縮部１５を、該カウンターが配置された位置を避けるように配置するのが好ましい。
【０１４１】
なお、上記第１〜第６実施形態では特に図示しなかったが、アッパー本体１１の後端部においてアッパー本体１１の継ぎ目を設けてもよい。
【０１４２】
以上、本発明についての実施形態を説明したが、本発明は上述の実施形態のみに限定されず、発明の範囲内で種々の変更が可能である。
【産業上の利用可能性】
【０１４３】
本発明は、例えばランニング用や各種競技用のスポーツシューズ、日常使用のスニーカーおよびリハビリ用シューズとして産業上の利用が可能である。
【符号の説明】
【０１４４】
１：シューズ
２：ソール
１０：アッパー
１１：アッパー本体
１１ａ：第１位置
１１ｂ：第２位置
１１ｃ：第３位置
１２：足挿入部
１３：開口部
１４：開閉部
１５：伸縮部
１６：非伸縮部
１７，１８：補強部
２０：アンカー部
２１：第１補強部
２２：第２補強部
２３：第３補強部
３１：第１外側補強部
３２：第２外側補強部
３３：第３外側補強部
４０：内側補強部
５０：靴紐
５１：ハトメ補強
５２：支持部
６０：踵拡張部
Ｓ：基準面
ＭＭ：内踝
ＬＭ：外踝
ＴＢ：距骨
ＨＬ：踵骨
【図１】
2020067476.tif 000003
【図２】
2020067476.tif 000004
【図３】
2020067476.tif 000005
【図４】
2020067476.tif 000006
【図５】
2020067476.tif 000007
【図６】
2020067476.tif 000008
【図７】
2020067476.tif 000009
【図８】
2020067476.tif 000010
【図９】
2020067476.tif 000011
【図１０】
2020067476.tif 000012
【図１１】
2020067476.tif 000013
【図１２】
2020067476.tif 000014
【図１３】
2020067476.tif 000015
【図１４】
2020067476.tif 000016
【図１５】
2020067476.tif 000017
【図１６】
2020067476.tif 000018
【図１７】
2020067476.tif 000019
【図１８】
2020067476.tif 000020
【図１９】
2020067476.tif 000021
【図２０】
2020067476.tif 000022
【図２１】
2020067476.tif 000023
【手続補正書】
【提出日】令和2年4月9日(2020.4.9)
【手続補正１】
【補正対象書類名】明細書
【補正対象項目名】００１０
【補正方法】変更
【補正の内容】
【００１０】
上記の目的を達成するために、本発明の第１の形態はソールおよびアッパーを備えたシューズに係るものであり、アッパーは、アッパー本体を有している。アッパー本体は、シューズに着用者の足を挿入させるための足挿入部と、伸縮性を有する素材からなる伸縮部と、を有している。足挿入部は、側面視において、着用者の足の踵骨上部と、腓骨および頸骨における内踝および外踝の各々の上部とを結んだ仮想線に対応する位置よりも上方に配置されている。伸縮部は、アッパー本体において、着用者の足の内踝および外踝の各々の中心に対応する位置を含みかつ足挿入部の位置を含む領域に配置されている。そして、伸縮部は、着用者の足関節が所定方向に向かって動作することで非伸長状態から伸長状態に変形し、かつ、該伸長状態から該非伸長状態に弾性的に復元することで前記着用者の足関節が前記所定方向と反対方向に動作するように構成されていることを特徴とする。
【手続補正２】
【補正対象書類名】特許請求の範囲
【補正対象項目名】全文
【補正方法】変更
【補正の内容】
【特許請求の範囲】
【請求項１】
ソールおよびアッパーを備えたシューズであって、
前記アッパーは、アッパー本体を有しており、
前記アッパー本体は、
前記シューズに着用者の足を挿入させるための足挿入部と、
伸縮性を有する素材からなる伸縮部と、を有し、
前記足挿入部は、側面視において、着用者の足の踵骨上部と、腓骨および頸骨における内踝および外踝の各々の上部とを結んだ仮想線に対応する位置よりも上方に配置されており、
前記伸縮部は、前記アッパー本体において、着用者の足の内踝および外踝の各々の中心に対応する位置を含みかつ前記足挿入部の位置を含む領域に配置されており、
前記伸縮部は、着用者の足関節が所定方向に向かって動作することで非伸長状態から伸長状態に変形し、かつ、該伸長状態から該非伸長状態に弾性的に復元することで前記着用者の足関節が前記所定方向と反対方向に動作するように構成されている、シューズ。
【請求項２】
請求項１に記載のシューズにおいて、
前記足挿入部は、側面視において前記仮想線に対応する位置の上側近傍に配置されている、シューズ。
【請求項３】
請求項２に記載のシューズにおいて、
前記伸縮部は、着用者の足の内踝に対応する位置から、足の踵部後側に対応する位置を経由して足の外踝に対応する位置まで連続している、シューズ。
【請求項４】
請求項１〜３のいずれか１項に記載のシューズにおいて、
前記アッパーは、前記伸縮部の外表面および内表面の少なくともいずれか一方に設けられた補強部をさらに有している、シューズ。
【請求項５】
請求項１に記載のシューズにおいて、
前記アッパーは、着用者の足の内踝および外踝よりも上方に位置する足首部分を含む位置に対応して配置されたアンカー部をさらに有し、
前記アッパー本体は、着用者の足の爪先部分から前記足首部分に亘る範囲を覆うように構成されており、
前記アッパー本体は、
着用者の足の前記足首部分の位置に対応する第１位置と、
着用者の足の距腿関節の位置に対応する第２位置と、
着用者の足の横足根関節の位置に対応する第３位置と、を含み、
前記アンカー部は、前記アッパー本体の前記第１位置が着用者の前記足首部分に対して位置決めされるように構成されており、
前記伸縮部は、前記アッパー本体において、着用者の足の踵骨および距骨に対応する領域を含みかつ前記第１位置から前記第２位置を経て前記第３位置に亘る足関節対応領域を含む位置に配置されており、
前記アンカー部により前記アッパー本体の前記第１位置が着用者の前記足首部分に位置決めされた状態において、前記伸縮部は、非伸長状態から伸長状態に変形しかつ該伸長状態から該非伸長状態に弾性的に復元するように構成されている、シューズ。
【請求項６】
請求項５に記載のシューズにおいて、
前記アッパーは、前記伸縮部の外表面および内表面の少なくともいずれか一方に設けられているとともに、伸縮性を有する材料からなる第１補強部をさらに有しており、
前記第１補強部は、前記アッパー本体において、前記第１位置よりも下方に位置しかつ着用者の足の内踝および外踝よりも後方の領域に対応して配置されている、シューズ。
【請求項７】
請求項５または６に記載のシューズにおいて、
前記アッパーは、前記伸縮部の外表面および内表面の少なくともいずれか一方に設けられているとともに、伸縮性を有する材料からなる第２補強部をさらに有しており、
前記第２補強部は、前記アッパー本体の内甲側において、前記第１位置よりも下方に位置しかつ着用者の足の内踝および踵骨から横足根関節に亘る範囲を含む位置に対応して配置されている、シューズ。
【請求項８】
請求項５〜７のいずれか１項に記載のシューズにおいて、
前記アッパーは、前記伸縮部の外表面および内表面の少なくともいずれか一方に設けられているとともに、伸縮性を有する材料からなる第３補強部をさらに有しており、
前記第３補強部は、前記アッパー本体の外甲側において、前記第１位置よりも下方に位置しかつ着用者の足の外踝および踵骨から横足根関節に亘る範囲を含む位置に対応して配置されている、シューズ。
【請求項９】
請求項５〜８のいずれか１項に記載のシューズにおいて、
前記伸縮部は、前記第１位置に対応する部分の周囲長が着用者の前記足首部分の周囲長よりも小さい略筒状に形成されており、
前記伸縮部は、前記第１位置に対応する部分が着用者の前記足首部分と密着したときに前記非伸長状態から周方向に拡張するように構成されている、シューズ。
【請求項１０】
請求項９に記載のシューズにおいて、
前記アッパー本体は、
前記第１位置に設けられ、前記第２位置から前記第１位置に向かって上方に開口する足挿入部と、
前記足挿入部と連続しかつ前記アッパー本体の一部が前記第１位置から下方に向かって線状に切り込まれた開口部と、
前記開口部を閉鎖または開放するための開閉部と、を含む、シューズ。
【請求項１１】
請求項１０に記載のシューズにおいて、
前記開閉部は、前記アッパー本体において着用者の足の内甲側に対応する位置に配置された線ファスナにより構成されており、
前記線ファスナは、前記アッパー本体において、長手方向が着用者の足の内側縦アーチに対応する位置から内踝に対応する位置よりも前方の位置を通って前記第１位置に向かうように延びている、シューズ。
【請求項１２】
請求項１０または１１に記載のシューズにおいて、
着用者の踵骨に対応する位置における前記ソールの接地面を水平な基準面としたときに、前記伸縮部は、前記第２位置から前記第１位置に延びる部分が、前記基準面に対する鉛直上下方向に対し後方に傾いた方向に沿うように構成されている、シューズ。
【請求項１３】
請求項１〜１２のいずれか１項に記載のシューズにおいて、
前記伸縮部は、着用者の足が後傾状態から直立状態に移行するに伴い、非伸長状態から伸長状態に変形するように構成されている、シューズ。
【請求項１４】
請求項５〜１３のいずれか１項に記載のシューズにおいて、
前記伸縮部の内表面には、着用者の足の踵部周りを側方および後方から覆うように形成された踵拡張部が設けられており、
前記踵拡張部は、足長方向に沿って切断したときの断面視において、着用者の足の踵部後側に対応する位置から後方に向かって突出している、シューズ。
【国際調査報告】
2020067476.tif 000024
2020067476.tif 000025
2020067476.tif 000026
2020067476.tif 000027